(57)【要約】【課題】ペットが苦手な乗客およびペットの飼い主がエレベータを快適に利用する。【解決手段】乗客６がペット７を連れて乗りかご１に乗ることにより、ペット用ＩＣタグ２２がかご内アンテナ３ａに近接すると、かご内アンテナ３ａはペット用ＩＣタグ２２に記憶される情報を近距離無線通信により電磁波として受信する。かご側ＩＣタグリーダ／ライタ４ａは乗りかご内アンテナ３ａが受信した電磁波を復調して得た信号をエレベータ制御盤５に出力する。エレベータ制御盤５はかご側ＩＣタグリーダ／ライタ４ａからの信号を入力すると、乗りかご１内にペット７が乗っているとみなし、各階床の乗場操作盤２０に設けられる乗場側表示灯８ｂを点灯させる。点灯した乗場側表示灯８ｂには「ペット」の文字が表示される。【選択図】図１
2007076788.tif 000002
【特許請求の範囲】
【請求項１】
乗りかご内のペットが身に付けるペット用記憶手段に記憶された情報を読み取る読み取り手段と、
乗りかご内にペットが存在する旨を前記読み取り手段による読み取りにしたがって各階床の乗場で報知する報知手段と
を備えたことを特徴とするエレベータ。
【請求項２】
各階床の乗場にいるペットが身に付けるペット用記憶手段に記憶された情報を読み取る読み取り手段と、
この読み取った情報を前記ペット用記憶手段を身に付けるペットのいる階床情報とともに出力する出力手段と、
この出力手段により出力された情報に含まれる階床情報が乗りかごの行先階である場合に、この行先階にペットが存在する旨を乗りかご内で報知する報知手段と
を備えたことを特徴とするエレベータ。
【請求項３】
前記ペット用記憶手段は、このペット用記憶手段を身に付けるペットの特徴を示す情報を含み、
前記読み取り手段が前記ペット用記憶手段に記憶された情報を読み取った際に、この情報を各階床の乗場の表示手段に表示させる表示制御手段をさらに備えたことを特徴とする請求項１に記載のエレベータ。
【請求項４】
前記ペット用記憶手段は、このペット用記憶手段を身に付けるペットの特徴を示す情報を含み、
前記読み取り手段が前記ペット用記憶手段に記憶された情報を読み取った際に、この情報を前記乗りかご内の表示手段に表示させる表示制御手段をさらに備えたことを特徴とする請求項２に記載のエレベータ。
【請求項５】
各階床の乗場にいる乗客が所持する乗客用記憶手段に記憶された当該乗客が拒否するペットの種別を示す情報を読み取る第１の読み取り手段と、
この第１の読み取り手段により読み取った情報を前記乗客用記憶手段を所持する乗客のいる階床情報とともに出力する出力手段と、
乗りかご内にいるペットが身に付けるペット用記憶手段に記憶された当該ペット用記憶手段を身に付けるペットの種別を示す情報を読み取る第２の読み取り手段と、
前記出力手段が出力した情報で示されるペットの種別に前記第２の読み取り手段により読み取った情報で示されるペットの種別が対応し、前記乗りかごの行先階に前記出力手段により出力した情報で示される階床が対応する場合に、前記出力手段が出力した情報で示される階床に前記乗客が拒否する種別のペットがいる旨を前記乗りかご内で報知する報知手段と
を備えたことを特徴とするエレベータ。
【請求項６】
前記出力手段が出力した情報で示されるペットの種別に前記第２の読み取り手段により読み取った情報で示されるペットの種別が対応し、前記乗りかごの行先階に前記出力手段が出力した情報で示される階床が対応する場合に前記乗りかごを前記対応する階床以外に待機させる制御手段と、
前記乗客用記憶手段を所持する乗客が前記対応する階床以外に位置するか否かを判別する判別手段と、
前記乗客用記憶手段を所持する乗客が前記対応する階床以外に位置すると前記判別手段が判別した場合に前記乗りかごを前記対応する階床に着床させる手段と
をさらに備えたことを特徴とする請求項５に記載のエレベータ。
【請求項７】
前記第２の読み取り手段により読み取った情報で示される種別を示す情報を各階床の乗場の表示手段に表示させる表示制御手段と、
前記表示手段に表示される情報で示される種別のペットを拒否する入力を受け付ける入力手段と、
この入力手段により入力を受け付けた場合に前記表示手段に表示される情報で示される種別の情報を前記乗客が拒否するペットの種別として当該乗客が所持する乗客用記憶手段に書き込む書き込み手段と
をさらに備えたことを特徴とする請求項５に記載のエレベータ。
【請求項８】
乗りかご内にいる乗客が所持する乗客用記憶手段に記憶された当該乗客が拒否するペットの種別を示す情報を読み取る第１の読み取り手段と、
各階床の乗場にいるペットが身に付けるペット用記憶手段に記憶された当該ペット用記憶手段を身に付けるペットの種別を示す情報を読み取る第２の読み取り手段と、
この読み取った情報を前記ペット用記憶手段を身に付けるペットのいる階床情報とともに出力する出力手段と、
前記出力手段が出力した情報で示されるペットの種別に前記第１の読み取り手段により読み取った情報で示されるペットの種別が対応し、前記乗りかごの行先階に前記出力手段が出力した情報で示される階床が対応する場合に前記乗りかごを前記対応する階床以外で待機させる制御手段と、
前記ペット用記憶手段を身に付けるペットが前記対応する階床以外に位置するか否かを判別する判別手段と、
前記ペットが前記対応する階床以外に位置すると前記判別手段が判別した場合に前記乗りかごを前記対応する階床に着床させる手段と
をさらに備えたことを特徴とするエレベータ。
【請求項９】
前記第２の読み取り手段により読み取った情報で示される種別を示す情報を前記乗りかご内の表示手段に表示させる表示制御手段と、
前記表示手段に表示される情報で示される種別のペットを拒否する入力を受け付ける入力手段と、
この入力手段により入力を受け付けた場合に前記表示手段に表示される情報で示される種別の情報を前記乗客が拒否するペットの種別として当該乗客が所持する記憶手段に書き込む書き込み手段と
をさらに備えたことを特徴とする請求項８に記載のエレベータ。
【請求項１０】
前記ペット用記憶手段は当該ペット用記憶手段を身に付けるペットの目的階の情報を含み、
前記読み取り手段による読み取った情報で示される目的階に乗りかごを昇降させる制御手段をさらに備えたことを特徴とする請求項１に記載のエレベータ。
【請求項１１】
乗りかご内を撮影する撮影手段と、
前記乗りかご内にいるペットの排泄物の有無を検出する検出手段と、
前記撮影手段による撮影結果と、前記検出手段による検出結果を各階床の乗場の表示手段に表示させる表示制御手段と
をさらに備えたことを特徴とする請求項１に記載のエレベータ。
【請求項１２】
各階床の乗場を撮影する撮影手段と、
前記各階床の乗場にいるペットの排泄物の有無を検出する検出手段と、
前記撮影手段による撮影結果と、前記検出手段による検出結果を乗りかご内の表示手段に表示させる表示制御手段と
をさらに備えたことを特徴とする請求項１に記載のエレベータ。
【請求項１３】
前記読み取り手段は、乗客が所持する乗客用記憶手段に記憶された当該乗客の情報および前記乗客のペットが身に付けるペット用記憶手段に記憶された前記乗客のペットの情報を読み取り、
前記読み取り手段が前記乗客用記憶手段に記憶された情報および前記ペット用記憶手段に記憶された前記乗客のペットの情報をともに読み取れない場合に閉扉動作を停止させる制御手段と
をさらに備えたことを特徴とする請求項１に記載のエレベータ。
【請求項１４】
前記読み取り手段が前記ペット用記憶手段に記憶された情報を読み取った場合に、予め定められた階床への行先階登録を無効とする手段をさらに備えたことを特徴とする請求項１に記載のエレベータ。
【請求項１５】
前記読み取り手段が前記ペット用記憶手段に記憶された情報を読み取った場合に、ペットに関する案内情報を前記乗りかご内の表示手段に表示させる表示制御手段
をさらに備えたことを特徴とする請求項１に記載のエレベータ。
【請求項１６】
前記読み取り手段が前記ペット用記憶手段に記憶された情報を読み取った場合に、ペットに関する案内情報を前記出力手段が出力した階床の乗場の表示手段に表示させる表示制御手段をさらに備えたことを特徴とする請求項２に記載のエレベータ。
【請求項１７】
前記乗りかご内の空気を清浄する空気清浄機と、
前記読み取り手段が前記ペット用記憶手段に記憶された情報を読み取った場合に前記空気清浄機を動作させる制御手段と
をさらに備えたことを特徴とする請求項１に記載のエレベータ。
【請求項１８】
前記乗りかご内に前記ペットが嗅ぐのに適した芳香剤を散布する散布機をさらに備えたことを特徴とする請求項１に記載のエレベータ。
【請求項１９】
前記乗りかご内に前記ペットが嗅ぐのに適した芳香剤を散布する散布機と、
前記読み取り手段が前記ペット用記憶手段に記憶された情報を読み取った場合に前記散布機を動作させる制御手段と
をさらに備えたことを特徴とする請求項１に記載のエレベータ。
【請求項２０】
前記ペット用記憶手段は、当該ペット用記憶手段を身に付けるペットの種別を示す情報を含み、
前記散布機は各種のペットにそれぞれ適した芳香剤を散布し、
前記制御手段は、前記読み取り手段が前記ペット用記憶手段に記憶された情報を読み取った場合に、前記散布機が前記読み取った情報で示される種別と対応するペットに適した芳香剤を散布するよう制御することを特徴とする請求項１に記載のエレベータ。
【請求項２１】
前記ペットが聞くのに適した音楽データを記憶する音楽データ記憶手段と、
前記読み取り手段が前記ペット用記憶手段に記憶された情報を読み取った場合に、前記音楽データ記憶手段に記憶された音楽データを前記乗りかご内で再生する再生手段と
をさらに備えたことを特徴とする請求項１に記載のエレベータ。
【請求項２２】
前記ペットが聞くのに適した音楽のデータを記憶する音楽データ記憶手段と、
前記読み取り手段が前記ペット用記憶手段に記憶された情報を読み取った場合に、前記音楽データ記憶手段に記憶された音楽データを前記出力手段が出力した階床の乗場で再生する再生手段と
をさらに備えたことを特徴とする請求項２に記載のエレベータ。
【発明の詳細な説明】
【技術分野】
【０００１】
本発明は、ペットを連れた乗客が利用するエレベータに関する。
【背景技術】
【０００２】
従来、乗客に連れられたペットと、ペットが苦手な乗客とが不意に鉢合わせることを防ぐために、例えば特許文献１に開示されたように、ペットを連れた乗客がかご操作盤に設置されたペット報知用の釦を押下してから行先階登録ボタンを押下すると、各階の乗場インジケータの表示灯部分に「ペット」と表示させることで各階乗場にいる乗客に対しペットが乗りかご内にいる旨の案内を行なうものがある。
【特許文献１】特開２００１−３２２７７５号公報
【発明の開示】
【発明が解決しようとする課題】
【０００３】
前述したような形態ではペットを連れた乗客がペット報知用の釦を押下するのを失念してしまう可能性があるので乗客に連れられたペットとペットが苦手な乗客との不意な鉢合わせを防止できるとは限らない。
【０００４】
そこで、本発明の目的はペットが苦手な乗客およびペットの飼い主が快適に利用することが可能になるエレベータを提供することにある。
【課題を解決するための手段】
【０００５】
すなわち、本発明に係わるエレベータは、乗りかご内のペットが身に付けるペット用記憶手段に記憶された情報を読み取り、乗りかご内にペットが存在する旨をペット用記憶手段に記憶された情報の読み取りにしたがって各階床の乗場で報知することを特徴とする。
【発明の効果】
【０００６】
本発明に係わるエレベータでは、乗りかご内のペットが身に付けるペット用記憶手段に記憶された情報を読み取り、乗りかご内にペットが存在する旨をペット用記憶手段に記憶された情報の読み取りにしたがって各階床の乗場で報知するので、ペットが苦手な乗客およびペットの飼い主がエレベータを快適に利用することができる。
【発明を実施するための最良の形態】
【０００７】
以下図面により本発明の実施形態について説明する。  
（第１の実施形態）
まず、本発明の第１の実施形態について説明する。  
図１は、本発明の第１の実施形態にしたがったエレベータの乗りかご内の構成の一例を示す模式図である。
【０００８】
図１に示すようにエレベータの乗りかご１内の天井にはかご内アンテナ３ａが設けられる。かご内アンテナ３ａはかご側ＩＣタグリーダ／ライタ４ａと接続される。かご側ＩＣタグリーダ／ライタ４ａはテールコードを介してエレベータ制御盤５と接続される。
【０００９】
かご側ＩＣタグリーダ／ライタ４ａは乗客６が所持する乗客用ＩＣタグ２１や乗客６が連れているペット７が身に付けるペット用ＩＣタグ２２に記憶された情報をかご内アンテナ３ａを用いて非接触により読み取る。
【００１０】
また、乗りかご１内のかごドア１７ａの上端部に隣接する側板にはかご内モニタ１３ａが取り付けられる。また、かごドア１７ａの右端部に隣接する側板にはかご操作盤１２が取り付けられ、かご操作盤１２が取り付けられる側板にはかご内表示灯８ａが取り付けられる。また、かごドア１７ａの左端部に隣接する側板にはかご内拒否ペット登録装置９ａが取り付けられる。かご内拒否ペット登録装置９ａの詳細については後述する。
【００１１】
また、乗りかご１内の天井にはかご内監視カメラ１０ａおよびかご内スピーカ１６ａが取り付けられる。また、乗りかご１の側板には芳香剤散布機１１、空気清浄機１４およびかご内においセンサ１５ａが取り付けられる。かご内においセンサ１５ａは乗りかご１の床に近い位置に取り付けられる。
【００１２】
かご内モニタ１３ａ、かご操作盤１２、かご内表示灯８ａ、かご内拒否ペット登録装置９ａ、かご内監視カメラ１０ａ、かご内スピーカ１６ａ、芳香剤散布機１１、空気清浄機１４、かご内においセンサ１５ａはテールコードを介してエレベータ制御盤５と接続される。
【００１３】
図２は、本発明の第１の実施形態にしたがったエレベータの乗場側の構成の一例を示す模式図である。  
図２に示すように、１号機エレベータの乗場ドア１７ｂの上端部と隣接する壁面には１号機エレベータ用の乗場側アンテナ３ｂが設けられる。乗場側アンテナ３ｂは乗場側ＩＣタグリーダ／ライタ４ｂと接続される。乗場側ＩＣタグリーダ／ライタ４ｂはテールコードを介してエレベータ制御盤５と接続される。
【００１４】
乗場側ＩＣタグリーダ／ライタ４ｂは乗客６が所持する乗客用ＩＣタグ２１や乗客６が連れているペット７が身に付けるペット用ＩＣタグ２２に記憶された情報を乗場側アンテナ３ｂを用いて非接触により読み取る。
【００１５】
また、乗場ドア１７ｂの上端部に隣接する壁面には１号機エレベータ用の乗場側モニタ１３ｂが取り付けられる。また、乗場ドア１７ｂの右端部と２号機エレベータの乗場ドア１７ｃの左端部の間の壁面には１号機エレベータおよび２号機エレベータ兼用の乗場操作盤２０が取り付けられる。乗場操作盤２０は１号機エレベータ用の乗場側表示灯８ｂを設ける。また、乗場操作盤２０より下方の壁面には１号機エレベータおよび２号機エレベータ兼用の乗場側拒否ペット登録装置９ｂが取り付けられる。
【００１６】
また、乗場ドア１７ｂの上端部の近隣の壁面には１号機エレベータ用の乗場側監視カメラ１０ｂおよび乗場側スピーカ１６ｂが取り付けられる。また、乗場の壁面における乗場ドア１７ｂの左端部および床に近い箇所には１号機エレベータ用の乗場側においセンサ１５ｂが取り付けられる。
【００１７】
また、図２に示すように、２号機エレベータの乗場ドア１７ｃの上端部と隣接する壁面には２号機エレベータ用の乗場側アンテナ３ｃが設けられる。乗場側アンテナ３ｃは乗場側ＩＣタグリーダ／ライタ４ｃと接続される。乗場側ＩＣタグリーダ／ライタ４ｃはテールコードを介してエレベータ制御盤５と接続される。
【００１８】
かご側ＩＣタグリーダ／ライタ４ｃは乗客用ＩＣタグ２１やペット用ＩＣタグ２２に記憶された情報を乗場側アンテナ３ｃを用いて非接触により読み取る。
【００１９】
また、乗場ドア１７ｃの上端部に隣接する壁面には２号機エレベータ用の乗場側モニタ１３ｃが取り付けられる。また、乗場操作盤２０は２号機エレベータ用の乗場側表示灯８ｃを設ける。
【００２０】
また、乗場ドア１７ｃの上端部の近隣の壁面には２号機エレベータ用の乗場側監視カメラ１０ｃおよび乗場側スピーカ１６ｃが取り付けられる。また、乗場の壁面における乗場ドア１７ｃの右端部および床に近い箇所には２号機エレベータ用の乗場側においセンサ１５ｃが取り付けられる。
【００２１】
乗場側モニタ１３ｂ，１３ｃ、乗場操作盤２０、乗場側表示灯８ｂ，８ｃ、乗場側拒否ペット登録装置９ｂ、乗場側監視カメラ１０ｂ，１０ｃ、乗場側スピーカ１６ｂ，１６ｃ、乗場側においセンサ１５ｂ，１５ｃはテールコードを介してエレベータ制御盤５と接続される。
【００２２】
次に、図１に示した構成のエレベータの動作について説明する。  
図３は、本発明の第１の実施形態にしたがったエレベータによる乗場側での報知処理の一例を示すフローチャートである。
【００２３】
乗客６がペット７を連れて１号機エレベータの乗りかご１に乗ることにより、ペット用ＩＣタグ２２がかご内アンテナ３ａに近接すると、かご内アンテナ３ａはペット用ＩＣタグ２２に記憶される情報を近距離無線通信により電磁波として受信する。かご側ＩＣタグリーダ／ライタ４ａはかご内アンテナ３ａが受信した電磁波を復調して得た信号をエレベータ制御盤５に出力する。
【００２４】
エレベータ制御盤５はかご側ＩＣタグリーダ／ライタ４ａからの信号を入力すると、乗りかご１内にペットが乗っているとみなし（ステップＳ１のＹＥＳ）、各階床の乗場操作盤２０に設けられる乗場側表示灯８ｂを点灯させる（ステップＳ２）。点灯した乗場側表示灯８ｂには「ペット」の文字が表示される。
【００２５】
また、かご側ＩＣタグリーダ／ライタ４ａはかご内アンテナ３ａがペット用ＩＣタグ２２と通信可能であるか否かを認識している。ここで、乗客６がペット７を連れて１号機エレベータの乗りかご１から乗場に出ることによりペット用ＩＣタグ２２がかご内アンテナ３ａの通信範囲外に位置すると、かご側ＩＣタグリーダ／ライタ４ａはこれを示す制御信号をエレベータ制御盤５に出力する（ステップＳ３）。
【００２６】
エレベータ制御盤５はかご側ＩＣタグリーダ／ライタ４ａからの信号を入力すると、乗りかご１内からペットが降りたとみなし、各階床の乗場操作盤２０に設けられる乗場側表示灯８ｂを消灯させる（ステップＳ４）。
【００２７】
このような処理を行なえば、ペットの飼い主が特別な操作を行なわなくとも各階床の乗場の乗客は乗りかご１内にペットが乗っているか否かを容易かつ確実に把握できる。よって、乗場の乗客がペットが苦手である場合でも当該ペットとの不意な鉢合わせを回避できる。
【００２８】
図４は、本発明の第１の実施形態にしたがったエレベータによるかご内での報知処理の一例を示すフローチャートである。  
乗客６がペット７を連れて１号機エレベータの乗場ドア１７ｂに近付くことによりペット用ＩＣタグ２２が乗場側アンテナ３ｂに近接すると、乗場側アンテナ３ｂはペット用ＩＣタグ２２に記憶される情報を近距離無線通信により電磁波として受信する。乗場側ＩＣタグリーダ／ライタ４ｂは乗場側アンテナ３ｂが受信した電磁波を復調して得た信号をエレベータ制御盤５に出力する。この信号には乗場側アンテナ３ｂが設置される階床情報が含まれる。
【００２９】
エレベータ制御盤５は乗場側ＩＣタグリーダ／ライタ４ｂからの信号を入力すると、この入力した信号に含まれる情報で示される階床が１号機エレベータの乗りかご１の行先階のいずれかに対応する場合には、この乗りかご１の行先階の乗場にペットがいるとみなし（ステップＳ１１のＹＥＳ）、乗りかご１内のかご内表示灯８ａを点灯させる（ステップＳ１２）。点灯したかご内表示灯８ａには「ペット」の文字が表示される。
【００３０】
この場合にはエレベータ制御盤５は信号の出力元の乗場側ＩＣタグリーダ／ライタ４ｂが設置される階床にある乗場側監視カメラ１０ｂが撮影した画像をかご内モニタ１３ａに表示させる。
【００３１】
このような処理を行なえば、各階床の乗場にいる飼い主が特別な操作を行なわなくともの乗りかご１内の乗客は当該乗りかご１の行先階にペットがいるか否かを容易かつ確実に把握できる。よって、乗りかご１内の乗客がペットが苦手である場合でも当該ペットとの不意な鉢合わせを回避できる。
【００３２】
次に本発明の第１の実施形態にしたがったエレベータの第１の変形例を説明する。この変形例では、かご内表示灯８ａや乗場側表示灯８ｂが点灯する際に音声による報知を行なう。
【００３３】
具体的には、エレベータ制御盤５はペットの存在をかご内で報知するための音声データおよび各階床の乗場でのペットの存在をかご内で報知するための音声データを内部メモリに記憶している。
【００３４】
エレベータ制御盤５はかご側タグリーダ／ライタ４ａからの信号入力にしたがって各階床の乗場側表示灯８ｂを点灯させた際に、「かご内にペットがいます。ご注意ください」といった音声データを内部メモリから読み出し、これを各階床にある乗場側スピーカ１６ｂに再生させる。
【００３５】
また、エレベータ制御盤５は例えば２階の乗場側ＩＣタグリーダ／ライタ４ｂからの信号入力にしたがってかご内表示灯８ａを点灯させた際に、「２階乗場にペットがいます。ご注意ください」といった音声データを内部メモリから読み出し、これをかご内スピーカ１６ａに再生させる。このような処理を行なえば目の不自由な乗客に対してもペットに関する注意を促すことができる。
【００３６】
次に本発明の第１の実施形態にしたがったエレベータの第２の変形例を説明する。この変形例では、ペット用ＩＣタグ２２には当該ＩＣタグ２２を身に付けるペット７の写真、予防接種の有無、体長、体重、品種、年齢などのペットの特徴情報を記憶する。
【００３７】
かご側タグリーダ／ライタ４ａはペット用ＩＣタグ２２がかご内アンテナ３ａに近接した際に前述したペットの特徴情報をペット用ＩＣタグ２２から得て、この情報を示す信号をエレベータ制御盤５に出力する。
【００３８】
エレベータ制御盤５はかご側タグリーダ／ライタ４ａからの信号入力にしたがって各階床の乗場側表示灯８ｂを点灯させた上で各階床にある乗場側モニタ１３ｂに前述したペットの特徴情報を表示させる。
【００３９】
また、各階床の乗場側ＩＣタグリーダ／ライタ４ｂはペット用ＩＣタグ２２が同一階床の乗場側アンテナ３ｂに近接した際に前述したペットの特徴情報をペット用ＩＣタグ２２から得て、この情報に乗場側アンテナ３ｂの設置階の階床情報を含ませた信号をエレベータ制御盤５に出力する。
【００４０】
エレベータ制御盤５は乗場内ＩＣタグリーダ／ライタ４ａからの信号入力にしたがってかご内表示灯８ａを点灯させた場合に、かご内モニタ１３ａに前述したペットの特徴情報を表示させる。  
このような処理を行なうことで、乗客はかご内または行先階にいるペットの特徴を事前に把握できる。
【００４１】
（第２の実施形態）
次に、本発明の第２の実施形態について説明する。なお、本実施形態に係るエレベータの構成は図１に示したものと基本的にほぼ同様であるので同一部分の説明は省略する。  
本発明の第１の実施形態にしたがったエレベータは乗客とペットとの不意な鉢合わせを防ぐことはできるが、鉢合わせ自体を回避することはできなかった。これに対し、本発明の第２の実施形態にしたがったエレベータは乗客とペットとの鉢合わせを自体を回避する。
【００４２】
本発明の第２の実施形態にしたがったエレベータのペットを連れない乗客が所持する乗客用ＩＣタグ２１は、当該ＩＣタグ２１を所持する乗客が苦手としているペットの種別を示す拒否ペット情報および所持者の氏名の情報を予め記憶する。
【００４３】
また、乗客６が連れるペット７が身に付けるペット用ＩＣタグ２２には当該ペット７の種別を示すペット種別情報を記憶される。
【００４４】
まず、ペットを連れない乗客が乗場ドアに近付いた場合の処理について説明する。図５は、本発明の第２の実施形態にしたがったエレベータによる乗りかご昇降に関する第１の制御処理の一例を示すフローチャートである。また、ペット用ＩＣタグ２２にはこれを身につけるペットの種別の情報およびペット自身の写真データが記憶される。
【００４５】
本発明の第２の実施形態にしたがったエレベータの乗客６がペット７を連れて１号機エレベータの乗りかご１に乗ることによりペット用ＩＣタグ２２がかご内アンテナ３ａに近接すると、かご内アンテナ３ａはペット用ＩＣタグ２２に記憶される各種情報を近距離無線通信により電磁波として受信する。かご側ＩＣタグリーダ／ライタ４ａはかご内アンテナ３ａが受信した電磁波を復調して得た信号をエレベータ制御盤５に出力する。
【００４６】
エレベータ制御盤５はかご側ＩＣタグリーダ／ライタ４ａからの信号を入力すると、この信号に含まれる情報で示されるペット７の種別を認識する。
【００４７】
一方、乗客用ＩＣタグ２１を所持する乗客が１号機エレベータの乗場ドア１７ｂに近付くことにより、乗客用ＩＣタグ２１が乗場側アンテナ３ｂに近接すると、乗場側アンテナ３ｂは乗客用ＩＣタグ２１に記憶される拒否ペット情報を近距離無線通信により電磁波として受信する。乗場側ＩＣタグリーダ／ライタ４ｂは乗場側アンテナ３ｂが受信した電磁波を復調して得た信号をエレベータ制御盤５に出力する。この信号には乗場側アンテナ３ｂが設置される階床情報が含まれる。
【００４８】
エレベータ制御盤５は乗場側ＩＣタグリーダ／ライタ４ｂからの信号を入力すると、この入力した信号に含まれる情報で示される苦手なペットの種別を信号出力元の階床情報と関連付けて認識する。
【００４９】
エレベータ制御盤５は乗場側ＩＣタグリーダ／ライタ４ｂからの信号入力にしたがって認識した苦手ペット種別がかご側ＩＣタグリーダ／ライタ４ａからの信号入力にしたがって認識したペット種別に含まれる場合には、乗場の乗客が苦手としているペットが乗りかご１内にいるとみなし（ステップＳ２１のＹＥＳ）、信号出力元の乗場側ＩＣタグリーダ／ライタ４ｂが設置される階床情報が１号機エレベータの乗りかご１の行先階に含まれる場合には、乗りかご１に乗っているペットを苦手としている乗客が当該乗りかご１の行先階にいるとみなし（ステップＳ２６のＹＥＳ）、この行先階以外の階床に乗りかごを着床させて戸開して待機する（ステップＳ２７）。
【００５０】
この場合には、エレベータ制御盤５は行先階にペット拒否者がいる旨を示すメッセージをかご内モニタ１３ａに表示させ、行先階にペット拒否者がいる旨を示す音声をかご内スピーカ１６ａに再生させる。
【００５１】
乗場側ＩＣタグリーダ／ライタ４ｂは乗場側アンテナ３ｂがペット用ＩＣタグ２２と通信可能であるか否かを認識している。ここで、前述した乗客用ＩＣタグ２１を所持する乗客が２号機エレベータの乗りかごに乗るなどして１号機エレベータの乗場から離れることで乗客用ＩＣタグ２１が乗場側アンテナ３ｂの通信範囲外に位置すると、乗場側ＩＣタグリーダ／ライタ４ｂはこれを示す制御信号をエレベータ制御盤５に出力する（ステップＳ２９）。
【００５２】
エレベータ制御盤５は乗場側ＩＣタグリーダ／ライタ４ｂからの信号を入力すると、乗りかご１に乗っているペットを苦手としている乗客が当該乗りかご１の行先階から移動したとみなし、乗りかご１を当該行先階に昇降させる（ステップＳ３０）。
【００５３】
一方、エレベータ制御盤５は乗場側ＩＣタグリーダ／ライタ４ｂからの信号入力にしたがって認識した苦手ペット種別がかご側ＩＣタグリーダ／ライタ４ａからの信号入力にしたがって認識したペット種別に含まれていても、信号出力元の乗場側ＩＣタグリーダ／ライタ４ｂが設置される階床情報が１号機エレベータの乗りかご１の行先階に含まれない場合には通常運転を行なう（ステップＳ２１→Ｓ２８）。
【００５４】
また、エレベータ制御盤５は１号機エレベータのかご内監視カメラ１０ａが撮影した映像を各階床の乗場側モニタ１３ｂに常に表示させる。  
前述した説明では、乗客用ＩＣタグ２１に予め記憶されている拒否ペット種別の情報をもとに乗客用ＩＣタグ２１を所持する乗客が苦手としているペットが乗りかご１内に乗っているか否かを判別したが、乗客用ＩＣタグ２１に予め記憶されていなくとも当該乗客用ＩＣタグ２１を所持する乗客が苦手とするペットが乗りかご１内に乗っている場合がある。
【００５５】
図６は、本発明の第２の実施形態にしたがったエレベータの乗場側拒否ペット登録装置の外観の一例を示す図である。  
図６に示すように、乗場側拒否ペット登録装置９ｂは拒否ペットボタン１８およびタッチパネル１９を備える。
【００５６】
乗客用ＩＣタグ２１を所持する乗客が乗場側モニタ１３ｂを見て１号機エレベータの乗りかご１内を確認した結果、乗客用ＩＣタグ２１に予め記憶しておらず、かつ乗客用ＩＣタグ２１を所持する乗客が苦手とする種別のペットが乗っていた場合には、この乗客は乗場側拒否ペット登録装置９ｂの拒否ペットボタン１８を押下する（ステップＳ２２→Ｓ２３）。
【００５７】
するとエレベータ制御盤５はかご側ＩＣタグリーダ／ライタ４ａからの信号入力にしたがって認識したペットの写真、「ＹＥＳ」アイコンおよび「ＮＯ」アイコンを乗客用ＩＣタグ２１を所持する乗客がいる階床の乗場側拒否ペット登録装置９ｂのタッチパネル１９に表示させる。また、エレベータ制御盤５はこのペットを拒否するか否かを問うメッセージを乗客用ＩＣタグ２１を所持する乗客の氏名と合わせてタッチパネル１９に表示させる。
【００５８】
ここで、かご側ＩＣタグリーダ／ライタ４ａからの信号入力にしたがって認識したペットが複数いる場合には、最初に認識したペットの写真、各種アイコンおよびメッセージをタッチパネル１９に表示させる。
【００５９】
乗客用ＩＣタグ２１を所持する乗客がタッチパネル１９に表示される「ＹＥＳ」アイコンを選択する（ステップＳ２４）と、エレベータ制御盤５はタッチパネル１９に表示されるペット種別が当該乗客が苦手とするペット種別であるとみなし、このペット種別の情報を拒否ペット種別の情報として乗客用ＩＣタグ２１に書き込むよう乗場側ＩＣタグリーダ／ライタ４ｂに指示する。
【００６０】
また、乗客用ＩＣタグ２１を所持する乗客がタッチパネル１９に表示される「ＮＯ」アイコンを選択すると、エレベータ制御盤５は次に認識したペットの写真、各種アイコンおよびメッセージをタッチパネル１９に表示させ、各種アイコンの選択がなされるまで待機する。
【００６１】
乗場側ＩＣタグリーダ／ライタ４ｂはエレベータ制御盤５からの指示にしたがって、新たな拒否ペット種別の情報を乗場側アンテナ３ｂから電磁波として乗客用ＩＣタグ２１に送信する。乗客用ＩＣタグ２１はこの電磁波を内蔵アンテナにより受信し、この受信した電磁波の復調を経て内部メモリに新たな拒否ペット種別の情報を記憶する（ステップＳ２５）。
【００６２】
このような処理を行なうことで、乗客用ＩＣタグ２１を所持する乗客は前述した新たな拒否ペット種別と対応するペットとの鉢合わせを回避することができる。
【００６３】
次に、ペットを連れない乗客が１号機エレベータの乗りかご１に乗った場合の処理について説明する。図７は、本発明の第２の実施形態にしたがったエレベータによる乗りかご昇降に関する第２の制御処理の一例を示すフローチャートである。
【００６４】
本発明の第２の実施形態にしたがったエレベータの乗客６がペット７を連れて１号機エレベータの乗場ドア１７ｂに近付くことにより、ペット用ＩＣタグ２２が乗場側アンテナ３ｂに近接すると、乗場側アンテナ３ｂはペット用ＩＣタグ２２に記憶される各種情報を近距離無線通信により電磁波として受信する。乗場側ＩＣタグリーダ／ライタ４ｂは乗場側アンテナ３ｂが受信した電磁波を復調して得た信号に含まれる信号をエレベータ制御盤５に出力する。この信号には乗場側アンテナ３ｂが設置される階床情報が含まれる。  
エレベータ制御盤５は乗場側ＩＣタグリーダ／ライタ４ｂからの信号を入力すると、この信号に含まれる情報で示されるペット７の種別を認識する。
【００６５】
一方、乗客用ＩＣタグ２１を所持する乗客が１号機エレベータの乗りかご１に乗ることにより、乗客用ＩＣタグ２１がかご内アンテナ３ａに近接すると、かご内アンテナ３ａは乗客用ＩＣタグ２１に記憶される拒否ペット情報を近距離無線通信により電磁波として受信する。かご側ＩＣタグリーダ／ライタ４ａはかご内アンテナ３ａが受信した電磁波を復調して得た信号をエレベータ制御盤５に出力する。
【００６６】
エレベータ制御盤５はかご側ＩＣタグリーダ／ライタ４ａからの信号を入力すると、この入力した信号に含まれる情報で示される苦手なペットの種別を認識する。
【００６７】
エレベータ制御盤５はかご側ＩＣタグリーダ／ライタ４ａからの信号入力にしたがって認識した苦手ペット種別が乗場側ＩＣタグリーダ／ライタ４ｂからの信号入力にしたがって認識したペット種別に含まれる場合には、乗りかご１内の乗客が苦手としているペットが乗場にいるとみなし、または、乗場側ＩＣタグリーダ／ライタ４ｂが設置される階床情報が１号機エレベータの乗りかご１の行先階に含まれる場合には、乗りかご１に乗っている乗客が苦手としているペットが当該乗りかご１の行先階にいるとみなし（ステップＳ４１のＹＥＳ）、この行先階以外の階床に乗りかごを着床させて戸開して待機する（ステップＳ４６）。
【００６８】
前述した行先階の乗場側ＩＣタグリーダ／ライタ４ｂは乗場側アンテナ３ｂがペット用ＩＣタグ２２と通信可能であるか否かを認識している。ここで、前述したペット用ＩＣタグ２２を身に付けるペットを連れた乗客が当該ペットとともに２号機エレベータの乗りかご１に乗るなどして１号機エレベータの乗場から離れることでペット用ＩＣタグ２２が乗場側アンテナ３ｂの通信範囲外に位置すると、乗場側ＩＣタグリーダ／ライタ４ｂはこれを示す制御信号をエレベータ制御盤５に出力する（ステップＳ４７）。
【００６９】
エレベータ制御盤５は乗場側ＩＣタグリーダ／ライタ４ｂからの信号を入力すると、乗りかご１に乗っている乗客が苦手としているペットが当該乗りかご１の行先階から移動したとみなし、乗りかご１を当該行先階に昇降させる（ステップＳ４８）。
【００７０】
また、エレベータ制御盤５は行先階の乗場側監視カメラ１０ｂが撮影した映像をかご内モニタ１３ａに常に表示させる。かご内拒否ペット登録装置９ａは乗場側拒否ペット登録装置９ａと同じく拒否ペットボタン１８とタッチパネル１９を備える。
【００７１】
前述した説明では、乗客用ＩＣタグ２１に予め記憶されている拒否ペット種別の情報をもとに乗客用ＩＣタグ２１を所持する乗客が苦手としているペットが行先階にいるか否かを判別したが、乗客用ＩＣタグ２１に予め記憶されていなくとも当該乗客用ＩＣタグ２１を所持する乗客が苦手とするペットが乗りかご１の行先階にいる場合がある。
【００７２】
乗客用ＩＣタグ２１を所持する乗客がかご内モニタ１３ａを見て行先階の乗場の様子を確認した結果、乗客用ＩＣタグ２１に予め記憶しておらず、かつ苦手とする種別のペットがいる場合には、かご内拒否ペット登録装置９ａの拒否ペットボタン１８を押下する（ステップＳ４２→Ｓ４３）。
【００７３】
するとエレベータ制御盤５は乗場側ＩＣタグリーダ／ライタ４ｂからの信号入力にしたがって認識したペットの写真、「ＹＥＳ」アイコンおよび「ＮＯ」アイコンをかご内拒否ペット登録装置９ａのタッチパネル１９に表示させる。エレベータ制御盤５はこのペットを拒否するか否かを問うメッセージを乗客用ＩＣタグ２１を所持する乗客の氏名と合わせてタッチパネル１９に表示させる。
【００７４】
ここで、乗場側ＩＣタグリーダ／ライタ４ｂからの信号入力にしたがって認識したペットが複数いる場合には、最初に認識したペットの写真、各種アイコンおよびメッセージをかご内拒否ペット登録装置９ａのタッチパネル１９に表示させる。
【００７５】
乗客用ＩＣタグ２１を所持する乗客がタッチパネル１９に表示される「ＹＥＳ」アイコンを選択する（ステップＳ４４）と、エレベータ制御盤５はタッチパネル１９に表示されるペット種別が当該乗客が苦手とするペット種別であるとみなし、このペット種別の情報を拒否ペット種別の情報として乗客用ＩＣタグ２１に書き込むようかご側ＩＣタグリーダ／ライタ４ａに指示する。
【００７６】
また、乗客用ＩＣタグ２１を所持する乗客がタッチパネル１９に表示される「ＮＯ」アイコンを選択すると、エレベータ制御盤５は次に認識したペットの写真、各種アイコンおよびメッセージをタッチパネル１９に表示させ、各種アイコンの選択がなされるまで待機する。
【００７７】
かご側ＩＣタグリーダ／ライタ４ａはエレベータ制御盤５からの指示にしたがって、新たな拒否ペット種別の情報をアンテナ３ａから電磁波として乗客用ＩＣタグ２１に送信する。乗客用ＩＣタグ２１はこの電磁波を内蔵アンテナにより受信し、この受信した電磁波の復調を経て内部メモリに新たな拒否ペット種別の情報を記憶する（ステップＳ４５）。
【００７８】
このような処理を行なうことで、乗りかご１内で乗客用ＩＣタグ２１を所持する乗客は前述した新たな拒否ペット種別と対応するペットとの鉢合わせを回避することができる。
【００７９】
本発明の第２の実施形態にしたがったエレベータはペット７を連れた乗客６が乗りかごに乗った場合に行先階登録を自動で行なう機能を有する。この機能を実現するためにペット用ＩＣタグ２２にはペット７の居住階の情報を記憶する。
【００８０】
具体的には、乗客６がペット７を連れて１号機エレベータの乗りかご１に乗ることにより、ペット用ＩＣタグ２２がかご内アンテナ３ａに近接すると、かご内アンテナ３ａはペット用ＩＣタグ２２に記憶される情報を近距離無線通信により電磁波として受信する。かご側ＩＣタグリーダ／ライタ４ａはかご内アンテナ３ａが受信した電磁波を復調して得た信号をエレベータ制御盤５に出力する。
【００８１】
エレベータ制御盤５はかご側ＩＣタグリーダ／ライタ４ａからの信号を入力すると、乗りかご１内にペット７が乗っているとみなし、入力した情報に含まれる居住階の行先階登録を行なう。これにより乗客６がペット７を抱いている状態であっても当該ペット７の居住階まで乗りかご１を昇降させることができる。
【００８２】
また、ペット７を連れた乗客６が乗場で下方向の乗場呼びを行なっていて、この乗場呼びにしたがって着床した乗りかご１にペット７を連れた乗客６が乗り込み、ペット７が身に付けるペット用ＩＣタグ２２がかご内アンテナ３ａに近接したことをエレベータ制御盤５が認識した場合には、このエレベータ制御盤５はペット用ＩＣタグ２２に記憶される居住階に関わらず玄関階の行先階登録を行なうようにしてもよい。
【００８３】
本発明の第２の実施形態にしたがったエレベータは、乗りかご１内や各階床の乗場でのペットの排泄を監視する機能を有する。具体的には、かご内においセンサ１５ａは臭気検知により乗りかご１内のペットの排泄物の存在を認識すると、これを示す信号をエレベータ制御盤５に出力する。エレベータ制御盤５はかご内においセンサ１５ａからの信号を入力すると、かご内監視カメラ１０ａが撮影した映像を各階床の乗場側モニタ１３ｂに表示させる。これにより各階床の乗場にいる乗客は乗りかご１内でのペットの排泄を把握することができる。
【００８４】
また、各階床の乗場側においセンサ１５ｂは臭気検知によりペットの排泄物の存在を認識すると、これを示す信号をエレベータ制御盤５に出力する。この信号には乗場側においセンサ１５ｂが設置される階床情報が含まれる。
【００８５】
エレベータ制御盤５はかご内においセンサ１５ａからの信号を入力して、この信号に含まれる情報で示される階床が呼び登録済の階床に含まれる場合には、前述した乗場側においセンサ１５ｂが設置される階床の乗場側監視カメラ１０ｂが撮影した映像をかご内モニタ１３ａに表示させる。これにより乗りかご１内にいる乗客は行先階でのペットの排泄を把握することができる。
【００８６】
本発明の第２の実施形態にしたがったエレベータは、ペット７を連れた乗客６と当該ペット７が離れた場合に戸閉を禁止する機能を有する。この機能を実現するために、乗客６は乗客用ＩＣタグ２１を所持し、この乗客用ＩＣタグ２１およびペット７のペット用ＩＣタグ２２には共通の飼育ＩＤを記憶する。乗客用ＩＣタグ２１に記憶される飼育ＩＤは飼い主の飼育ＩＤであることを示す識別情報を含み、ペット用ＩＣタグ２２に記憶される飼育ＩＤはペットの飼育ＩＤであることを示す識別情報を含む。
【００８７】
乗りかご１が着床して戸開した状態では、エレベータ制御盤５はかご側ＩＣタグリーダ／ライタ４ａからの信号入力にしたがって認識した飼育ＩＤや乗場側ＩＣタグリーダ／ライタ４ｂからの信号入力にしたがって認識した飼育ＩＤがペットの飼育ＩＤのみであったり飼い主の飼育ＩＤのみであったりする場合には、ペット７とこの飼い主である乗客６が乗場と乗りかご１とに分かれて位置しているとみなし、戸閉を禁止する。
【００８８】
このような処理を行なえば、乗りかご１に対する乗降の際のペットとその飼い主の安全を保つことができる。
【００８９】
本発明の第２の実施形態にしたがったエレベータは、乗客がペットを連れて乗りかご１の乗った際に特定階への行先階登録を禁止する機能を有する。この特定階とは食品売り場や食堂といった、ペットの入室が禁止されている階床である。具体的には、エレベータ制御盤５はかご側ＩＣタグリーダ／ライタ４ａからの信号入力により、乗りかご１内にペット用ＩＣタグ２２を身に付けるペットがいることを認識した場合には、予め内部メモリに記憶される階床であるペットの入場が禁止されている階床への行先階登録のための操作のかご操作盤１２に対して乗客が行なった場合でもこれを無効とする。このような処理行なえば、ペットが乗りかご１から当該ペットの入場が禁止されている階床への進入を防止することができる。
【００９０】
本発明の第２の実施形態にしたがったエレベータは、乗客がペットを連れて乗りかご１の乗ったり乗場ドアに近付いたりした際に、この乗っているペットに関する各種案内情報をモニタ表示する機能を有する。案内情報とは、例えばエレベータ設置建物がスーパーマーケットである場合には、乗りかご１に乗っているペットに関する製品の情報などである。
【００９１】
具体的には、エレベータ制御盤５の内部メモリには各種ペットに対応した案内情報が記憶される。エレベータ制御盤５はかご側ＩＣタグリーダ／ライタ４ａからの信号入力により、乗りかご１内にペット用ＩＣタグ２２を身に付けるペットがいることを認識した場合には、この入力した信号に含まれる情報で示されるペット種別と対応する案内情報をかご内モニタ１３ａに表示させる。
【００９２】
また、エレベータ制御盤５は乗場側ＩＣタグリーダ／ライタ４ｂからの信号入力により、この乗場側ＩＣタグリーダ／ライタ４ｂが設置される階床の乗場にペット用ＩＣタグ２２を身に付けるペットがいることを認識した場合には、この入力した信号に含まれる情報で示されるペット種別と対応する案内情報を信号出力元の乗場側ＩＣタグリーダ／ライタ４ｂが設置される階床の乗場側モニタ１３ｂに表示させる。
【００９３】
このような処理を行なえばペットの飼主はエレベータの利用時間を快適に過ごすことができる。
【００９４】
本発明の第２の実施形態にしたがったエレベータは、乗客がペットを連れて乗りかご１の乗った場合に乗りかご１内の空気を清浄する機能を有する。具体的にはエレベータ制御盤５はかご側ＩＣタグリーダ／ライタ４ａからの信号入力により、乗りかご１内にペット用ＩＣタグ２２を身に付けるペットがいることを認識した場合には、乗りかご１内の空気清浄機１４を予め定められた時間にわたって作動させる。これにより乗りかご１内のペットのにおいやペットの毛およびフケ等による不快を軽減することができる。また、ペットが乗りかごに乗り込んだ場合に空気清浄機１４が作動するのでエネルギーを節約できる。
【００９５】
本発明の第２の実施形態にしたがったエレベータは、乗客がペットを連れて乗りかご１の乗った場合にこのペットが嗅ぐのに適した芳香剤を乗りかご１内に散布する機能を有する。
【００９６】
具体的には、エレベータ制御盤５はかご側ＩＣタグリーダ／ライタ４ａからの信号入力により、乗りかご１内にペット用ＩＣタグ２２を身に付けるペットがいることを認識した場合には、この入力した信号に含まれる情報で示されるペット種別と対応する芳香剤の散布を芳香剤散布機１１に指示する。芳香剤散布機１１はエレベータ制御盤５からの指示にしたがって予め定められた時間にわたって芳香剤を散布する。
【００９７】
これにより、乗りかご１内のペットの気分を落ち着かせることができるので、他の乗客に迷惑をかけなくて済むようになる。
【００９８】
本発明の第２の実施形態にしたがったエレベータは、乗客がペットを連れて乗りかご１の乗った場合にこのペットが聞くのに適した音楽を乗りかご１内に再生する機能を有する。
【００９９】
具体的には、エレベータ制御盤５の内部メモリには各種ペットに対応した音楽データが記憶される。エレベータ制御盤５はかご側ＩＣタグリーダ／ライタ４ａからの信号入力により、乗りかご１内にペット用ＩＣタグ２２を身に付けるペットがいることを認識した場合には、この入力した信号に含まれる情報で示されるペット種別と対応する音楽データを読み出してこれをかご内スピーカ１６ａから再生させる。
【０１００】
これにより、前述したような芳香剤を散布した場合と同様に乗りかご１内のペットの気分を落ち着かせることができるので、他の乗客に迷惑をかけなくて済むようになる。
【０１０１】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【０１０２】
【図１】本発明の第１の実施形態にしたがったエレベータの乗りかご内の構成の一例を示す模式図。
【図２】本発明の第１の実施形態にしたがったエレベータの乗場側の構成の一例を示す模式図。
【図３】本発明の第１の実施形態にしたがったエレベータによる乗場側での報知処理の一例を示すフローチャート。
【図４】本発明の第１の実施形態にしたがったエレベータによる乗りかご内での報知処理の一例を示すフローチャート。
【図５】本発明の第２の実施形態にしたがったエレベータによる乗りかご昇降に関する第１の制御処理の一例を示すフローチャート。
【図６】本発明の第２の実施形態にしたがったエレベータの乗場側拒否ペット登録装置の外観の一例を示す図。
【図７】本発明の第２の実施形態にしたがったエレベータによる乗りかご昇降に関する第２の制御処理の一例を示すフローチャート。
【符号の説明】
【０１０３】
１…乗りかご、３ａ…かご内アンテナ、３ｂ，３ｃ…乗場側アンテナ、４ａ…かご側ＩＣタグリーダ／ライタ、４ｂ，ｃ…乗場側ＩＣタグリーダ／ライタ、５…エレベータ制御盤、６…乗客、７…ペット、８ａ…かご内表示灯、８ｂ，８ｃ…乗場側表示灯、９ａ…かご内拒否ペット登録装置、９ｂ…乗場側拒否ペット登録装置、１０ａ…かご内監視カメラ、１０ｂ，ｃ…乗場側監視カメラ、１１…芳香剤散布機、１２…かご操作盤、１３ａ…かご内モニタ、１３ｂ，ｃ…乗場側モニタ、１４…空気清浄機、１５ａ…かご内においセンサ、１５ｂ，ｃ…乗場側においセンサ、１６ａ…かご内スピーカ、１６ｂ，ｃ…乗場側スピーカ、１７ａ…かごドア、１７ｂ，ｃ…乗場ドア、１８…拒否ペットボタン、１９…タッチパネル、２０…乗場操作盤、２１…乗客用ＩＣタグ、２２…ペット用ＩＣタグ。
【図１】
2007076788.tif 000003
【図２】
2007076788.tif 000004
【図３】
2007076788.tif 000005
【図４】
2007076788.tif 000006
【図５】
2007076788.tif 000007
【図６】
2007076788.tif 000008
【図７】
2007076788.tif 000009